(57)【要約】【課題】ターボ機械における流れを調節するためのシステムおよび方法を提供する。【解決手段】本開示は、ターボ機械（１０）への空気（２６）の流れを調節するためのシステム（１００）に関する。システム（１００）は、ターボ機械（１０）の吸気部分（１２）と、アクチュエータ（６８）および制限部（７０）を有するダンパ（６４）とを含む。ダンパ（６４）は、吸気部分（１２）に配置され、制限部（７０）の位置に基づいてターボ機械（１０）への空気（２６）の流れを調節するように動作可能である。さらに、システム（１００）は、ダンパ（６４）に通信可能に接続されたコントローラ（１０４）を含む。コントローラ（１０４）は、ターボ機械（１０）の現在の動作状態に基づいてターボ機械（１０）への空気（２６）の流れを調節するように制限部（７０）の位置を制御する。【選択図】図１
2018184953.tif 000002
【特許請求の範囲】
【請求項１】
ターボ機械（１０）への空気（２６）の流れを調節するためのシステム（１００）であって、
前記ターボ機械（１０）の吸気部分（１２）と、
アクチュエータ（６８）および制限部（７０）を含んでおり、前記吸気部分（１２）に配置され、前記制限部（７０）の位置に基づいて前記ターボ機械（１０）への空気（２６）の流れを調節するように動作することができるダンパ（６４）と、
前記ダンパ（６４）に通信可能に接続され、前記ターボ機械（１０）の現在の動作状態に基づいて前記制限部（７０）の位置を制御して前記ターボ機械（１０）への空気（２６）の流れを調節するように構成されたコントローラ（１０４）と
を備えるシステム（１００）。
【請求項２】
前記コントローラ（１０４）は、現在の動作状態が通常の動作状態である場合に、前記アクチュエータ（６８）を制御して前記制限部（７０）を通常動作位置へと動かすように構成されている、請求項１に記載のシステム（１００）。
【請求項３】
前記コントローラ（１０４）は、現在の動作状態が自動清掃の動作状態である場合に、前記アクチュエータ（６８）を制御して前記制限部（７０）を自動清掃位置へと動かすように構成されている、請求項１に記載のシステム（１００）。
【請求項４】
前記コントローラ（１０４）は、現在の動作状態が降雨の動作状態である場合に、前記アクチュエータ（６８）を制御して前記制限部（７０）を耐候位置へと動かすように構成されている、請求項１に記載のシステム（１００）。
【請求項５】
前記アクチュエータ（６８）は、前記現在の動作状態がターンダウンの動作状態である場合に、前記制限部（７０）をターンダウン位置へと動かす、請求項１に記載のシステム（１００）。
【請求項６】
前記コントローラ（１０４）は、現在の動作状態がシャットダウンの動作状態である場合に、前記アクチュエータ（６８）を制御して前記制限部（７０）をシャットダウン位置へと動かすように構成されている、請求項１に記載のシステム（１００）。
【請求項７】
前記コントローラ（１０４）は、複数の現在の動作状態が存在する場合に、制御用の現在の動作状態を決定するように構成され、前記コントローラ（１０４）は、該制御用の現在の動作状態に基づいて前記制限部（７０）の位置を制御して前記ターボ機械（１０）への空気（２６）の流れを調節するように構成されている、請求項１に記載のシステム（１００）。
【請求項８】
前記コントローラ（１０４）に通信可能に接続され、現在の動作状態を示す前記ターボ機械（１０）の動作パラメータを検出するように動作することができるセンサ（１０２）
をさらに備える、請求項１に記載のシステム（１００）。
【請求項９】
前記コントローラ（１０４）は、現在の動作状態に基づいて前記アクチュエータ（６８）を制御して前記制限部（７０）をデフォルトの動作位置から特別な動作位置へと動かすように構成されている、請求項８に記載のシステム（１００）。
【請求項１０】
前記センサ（１０２）は、相対湿度センサ（８０）、降水センサ（８２）、温度センサ（７８）、フィルタエレメント差圧センサ（８５）、または微粒子センサ（８４）である、請求項８に記載のシステム（１００）。
【請求項１１】
前記制限部（７０）は、複数のルーバ（７２）を備える、請求項１に記載のシステム（１００）。
【請求項１２】
前記制限部（７０）は、不透過性である、請求項１に記載のシステム（１００）。
【請求項１３】
ターボ機械（１０）への空気（２６）の流れを調節するための方法（２００）であって、
コントローラ（１０４）によって、前記ターボ機械（１０）の現在の動作状態に基づいて、前記ターボ機械（１０）の吸気部分（１２）に配置され、前記コントローラ（１０４）に通信可能に接続され、制限部（７０）の位置に基づいて前記ターボ機械（１０）への空気（２６）の流れを調節するように動作することができるダンパ（６４）の前記制限部（７０）の位置を制御して、前記ターボ機械（１０）への空気（２６）の流れを調節するステップ（２０６）
を含む方法（２００）。
【請求項１４】
前記コントローラ（１０４）に通信可能に接続されたセンサ（１０２）で、前記ターボ機械（１０）の動作パラメータを検出するステップ（２０２）と、
前記コントローラ（１０４）で、前記動作パラメータに基づいて現在の動作状態を判定するステップ（２０４）と、
複数の現在の動作状態が存在する場合に、前記コントローラ（１０４）で制御用の現在の動作状態を決定するステップと、
前記コントローラ（１０４）で、制御用の現在の動作状態に基づいて、前記制限部（７０）の位置を制御して前記ターボ機械（１０）への空気（２６）の流れを調節するステップ（２０６）と
をさらに含む、請求項１３に記載の方法（２００）。
【請求項１５】
アクチュエータ（６８）によって、前記制限部（７０）をデフォルトの動作位置から現在の動作状態に基づく特別な動作位置へと動かすこと
をさらに含む、請求項１３に記載の方法（２００）。
【発明の詳細な説明】
【技術分野】
【０００１】
本開示は、広くには、ターボ機械に関する。より詳細には、本開示は、ターボ機械への空気の流れを調節するためのシステムおよび方法に関する。
【背景技術】
【０００２】
ガスタービンエンジンは、一般的に、吸気部分、圧縮機部分、燃焼部分、タービン部分、および排気部分を含む。空気は、吸気部分を通ってガスタービンエンジンに進入する。圧縮機部分は、空気の圧力を徐々に高め、この圧縮された空気を燃焼部分へと供給する。圧縮された空気および燃料（例えば、天然ガス）が、燃焼部分において混合され、燃焼室において燃焼して、高圧および高温の燃焼ガスを生成する。燃焼ガスは、燃焼部分からタービン部分へと流れ、タービン部分において膨張して仕事を生み出す。例えば、タービン部分における燃焼ガスの膨張は、発電機に接続されたロータシャフトを回転させて、電気を発生させることができる。次いで、燃焼ガスは、排気部分を介してガスタービンから排出される。
【０００３】
いくつかの場合に、吸気部分は、１つ以上の耐候フードを含むことができる。より具体的には、耐候フードは、ガスタービンエンジンが取り入れる空気を、吸気部分に進入するときに上方へと流す。これにより、ガスタービンエンジンに進入する雨、雪、および他の降水の量を少なくすることができる。しかしながら、残念なことに、上方への流れは、気流の方向変化が圧力損失をもたらすがゆえに、降水が存在しないときのガスタービンエンジンの効率を低下させる。
【先行技術文献】
【特許文献】
【０００４】
【特許文献１】米国特許第８，４７５，１１５号明細書
【発明の概要】
【０００５】
本技術の態様および利点は、以下の説明に部分的に記載され、あるいは説明から自明であり得、あるいは本技術の実施を通じて学ぶことが可能である。
【０００６】
一実施形態において、本開示は、ターボ機械への空気の流れを調節するためのシステムに関する。このシステムは、ターボ機械の吸気部分と、アクチュエータおよび制限部を有するダンパとを含む。ダンパは、吸気部分に配置され、制限部の位置に基づいてターボ機械への空気の流れを調節するように動作可能である。さらに、システムは、ダンパに通信可能に接続されたコントローラを含む。コントローラは、ターボ機械の現在の動作状態に基づいてターボ機械への空気の流れを調節するように制限部の位置を制御するように構成される。
【０００７】
別の実施形態において、本開示は、ターボ機械への空気の流れを調節するための方法に関する。この方法は、コントローラによって、ターボ機械の現在の動作状態に基づいて、ターボ機械の吸気部分に配置されたダンパの制限部の位置を制御して、ターボ機械への空気の流れを調節することを含む。ダンパは、コントローラに通信可能に接続され、制限部の位置に基づいてターボ機械への空気の流れを調節するように動作可能である。
【０００８】
本技術のこれらの特徴、態様、および利点、ならびに他の特徴、態様、および利点は、以下の説明および添付の特許請求の範囲を参照して、よりよく理解されよう。添付の図面は、本明細書に組み込まれ、本明細書の一部を構成するものであるが、本技術の実施形態を例示し、明細書における説明と併せて本技術の原理を説明する役に立つ。
【０００９】
当業者に向けた本技術の最良の様態を含む本技術の充分かつ実施可能な開示が、添付の図面を参照しつつ、本明細書に記載される。
【図面の簡単な説明】
【００１０】
【図１】本開示の実施形態による典型的なガスタービンエンジンの概略図である。
【図２】本開示の実施形態によるガスタービンエンジンの典型的な吸気部分の側面図である。
【図３】本開示の実施形態による典型的なダンパの側面図である。
【図４】本開示の実施形態によるガスタービンエンジンへの空気の流れを調節するためのシステムの概略図である。
【図５】本開示の実施形態による自動清掃位置にある制限部を示しているダンパの側面図である。
【図６】本開示の実施形態による耐候位置にある制限部を示しているダンパの側面図である。
【図７】本開示の実施形態によるターンダウン位置にある制限部を示しているダンパの側面図である。
【図８】本開示の実施形態によるシャットダウン位置にある制限部を示しているダンパの側面図である。
【図９】本開示の実施形態によるガスタービンエンジンへの空気の流れを調節するための方法を説明するフロー図である。
【発明を実施するための形態】
【００１１】
本明細書および図面における符号の反復使用は、本技術の同一または類似の特徴または要素を表すことを意図している。
【００１２】
以下で、本技術の実施形態を詳しく参照するが、その１つまたは複数の例が、添付の図面に示されている。詳細な説明においては、数字および文字による標記を、図中の各特徴を指して使用する。図面および説明における同一または類似の標記は、本技術の同一または類似の部分を指して使用されている。本明細書において使用されるとき、「第１の」、「第２の」、および「第３の」という用語は、或る構成要素を別の構成要素から区別するために交換可能に用いることができ、個々の構成要素の位置または重要性を示すことを意図しない。「上流」および「下流」という用語は、流体の経路における流体の流れに対する相対的方向を指す。例えば、「上流」は、流体が流れて来る方向を指し、「下流」は、流体が流れて行く方向を指す。
【００１３】
各々の実施例は、本技術の説明のために提示されており、本技術を限定するものではない。実際、本技術の範囲または趣旨から逸脱することなく、修正および変更が本技術において可能であることは、当業者にとって明らかであろう。例えば、或る実施形態の一部として図示または記載された特徴を、別の実施形態について使用して、さらに別の実施形態をもたらすことができる。したがって、本技術は、添付の特許請求の範囲およびそれらの均等物の範囲に含まれるような修正および変更を、包含するように意図される。
【００１４】
産業用または陸上用のガスタービンが本明細書に示されて説明されているが、本明細書に示されて説明される本技術は、特許請求の範囲にとくに明記されない限り、陸上用および／または産業用ガスタービンに限定されない。例えば、本明細書に記載の技術は、これらに限られるわけではないが、航空ガスタービン（例えば、ターボファン、など）、蒸気タービン、および海洋ガスタービンなど、任意の種類のターボ機械において使用することができる。
【００１５】
ここで、図面を参照すると、図面の全体を通して、同一の番号は同じ要素を示しており、図１が、典型的なガスタービンエンジン１０を概略的に示している。図示のとおり、ガスタービンエンジン１０は、吸気部分１２と、圧縮機１４と、１つ以上の燃焼器１６と、タービン１８と、排気部分２０とを含む。圧縮機１４およびタービン１８を、単一のシャフトまたは互いに結合した複数のシャフト部分であってよいシャフト２２によって、結合させることができる。さらに、シャフト２２は、タービン１８を発電機２４に結合させることができる。
【００１６】
動作時に、ガスタービンエンジン１０は、機械的な回転エネルギを生成し、これを、発電機２４を駆動するために使用することができる。より具体的には、空気２６が、ガスタービンエンジン１０の吸気部分１２に進入する。空気２６は、吸気部分１２から圧縮機１４へと流れ込み、圧縮機１４において、圧縮機ロータブレード２８の１つ以上の列が空気２６を徐々に圧縮し、圧縮された空気３０を各々の燃焼器１６へともたらす。燃焼器１６内の圧縮された空気３０は、燃料供給源３４によって供給される燃料３２（例えば、天然ガス）と混合される。得られた燃料空気混合物が、燃焼器１６において燃焼し、高温高圧の燃焼ガス３６を生み出す。燃焼ガス３６は、燃焼器１６からタービン１８を通って流れ、タービン１８において、タービンロータブレード３８の１つ以上の列が、燃焼ガス３６から運動エネルギおよび／または熱エネルギを抽出する。このエネルギ抽出は、シャフト２２を回転させることによって、圧縮機１４および／または発電機２４を動作させるための機械的な回転エネルギを生み出す。燃焼ガス３６は、排気部分２０を通って排気ガス４０としてガスタービンエンジン１０から出る。
【００１７】
図２は、吸気部分１２の典型的な実施形態を示している。図示されているように、吸気部分１２は、地面、発電所の床、建物の屋根、または任意の他の適切な設備基礎であってよいベース面４２に結合させられる。この点に関して、吸気部分１２は、鉛直方向Ｖおよび軸方向Ａを定める。具体的には、鉛直方向Ｖは、一般に、ベース面４２に直交するように延びる。軸方向Ａは、一般に、鉛直方向Ｖに垂直かつベース面４２に平行に延びる。
【００１８】
吸気部分１２は、フィルタハウジング４４を含むことができる。とくには、フィルタハウジング４４は、種々のフィルタ、スクリーン、冷却コイル、水分の分離装置、蒸発冷却器、加熱システム、ならびに／あるいはガスタービンエンジン１０に進入する空気２６を浄化し、もしくは他のやり方で調整するための他の装置を含むことができる。フィルタハウジング４４を、ガスタービンエンジン１０の動作時に吸気部分１２に進入する塵埃または他の粒子の量を少なくするために、ベース面４２の鉛直上方に配置することができる。この点に関し、第１の支持構造４６が、フィルタハウジング４４をベース面４２の上方に支持することができる。
【００１９】
図２に示す実施形態において、吸気部分１２は、フィルタハウジング４４の下流に配置されたサイレンサ４８をさらに含むことができる。サイレンサ４８は、種々のバッフル、パネル、防音パケット、および／または圧縮機１４が発生させた音の少なくとも一部の強度を減衰させるための他の装置を含むことができる。つなぎピース５０で、サイレンサ４８とフィルタハウジング４４とを結合させることができる。吸気部分１２のいくつかの実施形態は、サイレンサ４８を含まなくてもよい。
【００２０】
吸気部分１２は、フィルタハウジング４４またはサイレンサ４８を圧縮機１４に連通させるダクト５２をさらに含むことができる。この点に関して、ダクト５２は、サイレンサ４８および／またはフィルタハウジング４４から空気２６を受け取り、空気２６を圧縮機１４へと供給する。第２の支持構造５４が、ダクト５２をベース面４２の上方に支持することができる。図示のように、第２の支持構造５４は、第１の支持構造４６から分離している。しかしながら、他の実施形態において、第１および第２の支持構造４６、５４は、単一の構造物の一部分であってよい。ダクト５２は、エルボ部分５６、鉛直方向に延びる部分５８、つなぎ部分６０、および入口プレナム部分６２などの種々のダクト部分を含むことができる。しかしながら、代案の実施形態において、ダクト５２は、任意の適切な種類および／または数のダクト部分を含むことができる。この点に関して、ダクト５２は、フィルタハウジング４４またはサイレンサ４８から圧縮機１４まで延びる任意の適切な構成を有することができる。
【００２１】
さらに、吸気部分１２は、ガスタービンエンジン１０の吸気部分１２に進入する空気２６の流れを制御するように動作可能であってよいダンパ６４を含む。この点に関し、ダンパ６４を、フィルタハウジング４４の軸方向上流端など、吸気部分１２の入口６６に配置することができる。しかしながら、代案の実施形態においては、ダンパ６４を、吸気部分１２における他の適切な位置に配置することができる。
【００２２】
図３に示されるように、ダンパ６４は、アクチュエータ６８と、１つ以上の調整可能な制限部７０とを含む。とくに、アクチュエータ６８は、制限部７０を２つ以上の位置の間で移動させる。歯車、スプロケット、チェーン、リンク機構、または他の構成要素の任意の適切な組み合わせによって、アクチュエータ６８から制限部７０へと運動を伝達することができる。制限部７０は、制限部の位置に基づいて、吸気部分１２に進入する空気２６の流れを調整することができる。例えば、制限部７０は、空気２６の圧力低下、流れ方向、または他の特性を調整することができる。この点に関して、制限部７０は、空気および他の流体に対して不透過性であってよい。以下でさらに詳細に説明されるように、ガスタービンエンジン１０への空気２６の流れを、制限部７０の位置に基づいて調節することができる。
【００２３】
図３に示した典型的な実施形態において、ダンパ６４の制限部７０は、複数のルーバ７２である。この点に関して、アクチュエータ６８は、ルーバ７２の角度方向を調整する。図示のように、リンク機構７４が、アクチュエータ６８（例えば、空気圧または油圧シリンダ、電気モータ、など）を各々のルーバ７２へと連結する。ダンパ６４の動作時に、アクチュエータ６８は、リンク機構７４の種々のリンクを運動させ、ルーバ７２を回転させる。ルーバ７２は、平板状の形状、翼形状の形状、あるいは他の適切な形状または構成を有することができる。別の実施形態において、制限部７０は、ギロチンドア、ダイバータ、バタフライバルブ、ポペット、アイリス状オリフィス、または任意の他の適切な種類の制限部であってよい。さらに、ダンパ６４は、ガスタービンエンジン１０への空気２６の流れを調整可能に制御することができる任意の適切な構造または装置であってよい。
【００２４】
再び図１を参照すると、ガスタービンエンジン１０は、種々のセンサを含むことができる。例えば、図示のように、ガスタービンエンジン１０は、負荷センサ７６、温度センサ７８、相対湿度センサ８０、降水センサ８２、微粒子センサ８４、フィルタエレメント差圧センサ８５、および燃料流量センサ８６を含むことができる。しかしながら、代案の実施形態において、ガスタービンエンジン１０は、センサ７６，７８，８０，８２，８４，８５，８６のうちの一部だけを含んでも、あるいはセンサ７６，７８，８０，８２，８４，８５，８６のいずれも含まなくてもよい。さらに、ガスタービンエンジン１０は、センサ７６，７８，８０，８２，８４，８５，８６に加え、あるいはセンサ７６，７８，８０，８２，８４，８５，８６に代えて、他のセンサを含んでもよい。
【００２５】
負荷センサ７６は、ガスタービンエンジン１０の負荷を検出する。図１に示す実施形態において、ガスタービンエンジン１０の負荷は、発電機２４である。この点で、負荷センサ７６を、発電機２４に動作可能に関連付けることができる。したがって、負荷センサ７６は、発電機２４が生み出す電気の量を検出する電流計であってよい。代案の実施形態においては、負荷センサ７６を、シャフト２２に動作可能に関連付けることができる。この点で、負荷センサ７６は、シャフト２２の回転速度を検出するホール効果センサであってよい。シャフト２２の回転速度を、ガスタービンエンジン１０の負荷を割り出すために使用することができる。それにもかかわらず、負荷センサ７６は、ガスタービンエンジン１０の負荷を検出するための任意の適切なセンサであってよい。
【００２６】
温度センサ７８は、吸気部分１２に進入する空気２６の温度を検出する。この点で、温度センサ７８は、吸気部分１２に進入する空気２６に曝される。温度センサ７８は、サーミスタ、熱電対、または任意の他の適切な種類の温度センサであってよい。
【００２７】
相対湿度センサ８０は、吸気部分１２に進入する空気２６の相対湿度を検出する。この点で、相対湿度センサ８０は、吸気部分１２に進入する空気２６に曝される。相対湿度センサ８０は、静電容量式相対湿度センサ、抵抗式相対湿度センサ、熱伝導率相対湿度センサ、または任意の他の適切な種類の相対湿度センサであってよい。
【００２８】
降水センサ８２は、ガスタービンエンジン１０の付近の降水（例えば、雨、雪、など）の存在を検出する。この点で、降水センサ８２は、ガスタービンエンジン１０の外部に配置され、周囲条件に曝される。降水センサ８２は、転倒ます形雨量計、導電率降水センサ、吸湿ディスク降水センサ、または任意の他の適切な種類の降水センサであってよい。
【００２９】
微粒子センサ８４は、吸気部分１２に進入する空気２６中の微粒子（例えば、塵）の存在および／または量を検出する。この点で、微粒子センサ８４は、吸気部分１２に進入する空気２６に曝される。相対微粒子センサ８４は、光学式微粒子センサまたは他の適切な種類の微粒子センサであってよい。
【００３０】
フィルタエレメント差圧センサ８５は、吸気部分１２におけるフィルタエレメントの上流の空気２６の圧力とフィルタエレメントの下流の空気２６の圧力との間の差を検出する。この点で、フィルタエレメント差圧センサ８５は、吸気部分１２に動作可能に組み合わせられる。とくに、フィルタエレメント差圧センサ８５を、フィルタエレメントの上流およびフィルタエレメントの下流の両方の空気２６に曝されるように、フィルタハウジング４４内に配置することができる。フィルタエレメント差圧センサ８５は、空気圧差圧トランスミッタ、電子差圧トランスミッタ、または任意の他の適切な種類の差圧センサであってよい。
【００３１】
燃料流量センサ８６は、燃料供給源３４から燃焼器１６へと流れる燃料３２の流量または圧力を検出する。図１に示されるように、燃料流量センサ８６は、燃焼器１６へと流れる燃料３２に動作可能に関連付けられ、連通する。例えば、燃料流量センサ８６は、オリフィスメータ、タービン流量計、渦流量計、または他の適切な種類の燃料流量センサであってよい。
【００３２】
図４が、本開示の実施形態によるガスタービンエンジン１０への空気２６の流れを調節するためのシステム１００を示している。以下でさらに詳細に説明されるように、システム１００は、ガスタービンエンジン１０の現在の動作状態に基づいて、ダンパ６４の制限部７０の位置を制御して、空気２６の流れを調節する。
【００３３】
図示のように、システム１００は、ガスタービンエンジン１０の動作パラメータを検出するためのセンサ１０２を含むことができる。動作パラメータは、ガスタービンエンジン１０の現在の動作状態に関連していてよく、あるいはガスタービンエンジン１０の現在の動作状態を示す。例えば、動作パラメータは、ガスタービンエンジン１０の負荷、空気２６の温度、空気２６の相対湿度、降雨の存在、空気２６中の微粒子の存在または量、空気２６のフィルタエレメントにおける差圧、あるいは燃料３２の流量または圧力であってよい。この点において、センサ１０２は、負荷センサ７６、温度センサ７８、相対湿度センサ８０、降水センサ８２、微粒子センサ８４、フィルタエレメント差圧センサ８５、または燃料流量センサ８６に対応することができる。図４には１つのセンサ１０２しか示されていないが、システム１００は、より多くのセンサを含むことができる。別の実施形態において、センサ１０２は、図１に示されていないセンサに対応してもよい。さらに、動作パラメータは、ガスタービンエンジン１０内の現在の状態またはガスタービンエンジン１０が被る環境条件に対応する任意の適切なパラメータであってよい。
【００３４】
さらに、システム１００は、センサ１０２およびダンパ６４などのシステム１００および／またはガスタービンエンジン１０の１つ以上の構成要素に通信可能に接続されたコントローラ１０４を含む。さらに、コントローラ１０４を、システム１００に含まれる任意の他のセンサに通信可能に接続することができる。特定の実施形態において、コントローラ１０４は、ガスタービンエンジン１０のタービンコントローラ（図示せず）に対応することができる。あるいは、コントローラ１０４は、タービンコントローラに加えて、ガスタービンエンジン１０の別個の処理装置であってよい。
【００３５】
一般に、コントローラ１０４は、コンピューティングデバイスまたは任意の適切なコンピューティングデバイスの組み合わせなど、当技術分野で知られている任意の適切なプロセッサベースのデバイスを含むことができる。この点において、コントローラ１０４は、コンピュータによって実現される種々の機能を実行するように構成された１つ以上のプロセッサ１０６および関連のメモリデバイス１０８を含むことができる。本明細書において使用されるとき、用語「プロセッサ」は、当技術分野においてコンピュータに含まれるとされる集積回路を指すだけでなく、コントローラ、マイクロコントローラ、マイクロコンピュータ、プログラマブルロジックコントローラ（ＰＬＣ）、特定用途向け集積回路、および他のプログラマブル回路も指す。さらに、コントローラ１０４のメモリデバイス１０８は、一般に、コンピュータ可読媒体（例えば、ランダムアクセスメモリ（ＲＡＭ））、コンピュータ可読不揮発性媒体（例えば、フラッシュメモリ）、フロッピーディスク、コンパクトディスク読み出し専用メモリ（ＣＤ−ＲＯＭ）、光磁気ディスク（ＭＯＤ）、デジタル多用途ディスク（ＤＶＤ）、および／または他の適切なメモリ素子を含むメモリ素子を備えることができる。そのようなメモリデバイス１０８を、一般に、プロセッサ１０６によって実行されたときに、図９に関して後述される方法２００の１つ以上の態様などのコンピュータによって実現される種々の機能をコントローラ１０４に実行させる適切なコンピュータ可読命令を格納するように構成することができる。さらに、コントローラ１０４は、通信回路またはモジュール、１つ以上の入出力チャネル、ならびに／あるいはデータ／制御バス、など、種々の他の適切な構成要素も含むことができる。
【００３６】
上述のように、コントローラ１０４は、例えば有線または無線接続を介して、センサ１０２に通信可能に接続される。この点において、センサ１０２は、動作パラメータに関連する測定信号１１０をコントローラ１０４へと送信することができる。次に、コントローラ１０４を、センサ１０２から受信した測定信号１１０に基づいてガスタービンエンジン１０の現在の動作状態を割り出すように構成することができる。例えば、コントローラ１０４は、動作パラメータの測定値をガスタービンエンジン１０の現在の動作状態に相関付けるメモリ１０８内に格納された参照テーブル、適切な数式、または他のロジックを含むことができる。いくつかの実施形態において、ガスタービンエンジン１０の現在の動作状態は、複数のセンサを有するシステム１００の実施形態における複数の動作パラメータに基づくことができる。さらなる実施形態において、コントローラ１０４は、ユーザインターフェイス（図示せず）または他のユーザ制御部から受信されるユーザの入力による設定または信号に基づいて、ガスタービンエンジン１０の現在の動作状態を受信することもできる。
【００３７】
さらに、コントローラ１０４を、例えば有線または無線接続を介して、ダンパ６４に通信可能に接続することができる。これに関して、コントローラ１０４は、制御信号１１２をダンパ６４へと送信することができる。制御信号１１２は、アクチュエータ６８が制限部７０をどの位置へと動かすべきかを示す。以下でさらに詳細に説明されるように、コントローラ１０４は、ガスタービンエンジン１０の現在の動作状態に基づいて制御信号１１２を生成することができる。
【００３８】
コントローラ１０４は、ガスタービンエンジン１０の現在の動作状態に基づいて、制限部７０の位置を制御して、吸気部分１２への空気２６の流れを調節するように構成される。例えば、現在の動作状態を割り出したときに、コントローラ１０４を、現在の動作状態を以前の動作状態（すなわち、現在の動作状態が割り出される前のガスタービンエンジン１０の動作状態）と比較するように構成することができる。現在の動作状態が以前の動作状態と異なる場合、吸気部分１２に進入する空気２６の特性が、望ましくない状態であるかもしれない。そのような場合、コントローラ１０４を、吸気部分１２に進入する空気２６の特性を変更するように、制限部７０の位置を（例えば、制御信号１１２を介して）制御するように構成することができる。現在の動作状態が以前の動作状態と同じである場合、吸気部分１２に進入する空気２６の特性は、望ましい状態であるかもしれない。そのような場合、コントローラ１０４を、吸気部分１２に進入する空気２６の特性が同じままであるように、制限部７０の位置を（例えば、制御信号１１２を介して）制御するように構成することができる。
【００３９】
図３および図５〜図８に示されるダンパ６４の実施形態において、制限部７０は、複数のルーバ７２である。この点において、アクチュエータ６８は、ルーバ７２の角度方向を調整して、吸気部分１２に進入する空気２６の種々の特性（例えば、圧力低下および流れ方向）を修正する。図３および図５〜図８は、ガスタービンエンジン１０の種々の動作状態に関連し得るルーバ７２の種々の角度方向を示している。コントローラ１０４は、ルーバ７２を後述される角度方向の一部または全部へと動かすように構成されてよく、あるいは後述される角度方向のいずれにも移動させないように構成されてよい。さらに、コントローラ１０４は、ルーバ７２を後述される方向とは異なる角度方向へと動かすように構成されてよい。
【００４０】
図３は、通常の動作位置にあるルーバ７２を示している。図示されているように、ルーバ７２は、通常の動作位置において、おおむね水平な向きを有する。すなわち、各々のルーバ７２の前端および後端が、ベース面４２の上方の同じ鉛直位置に位置する。ルーバ７２のこの向きは、空気２６が吸気部分１２に進入するときに生じる圧力低下を最小限にすることにより、ガスタービンエンジン１０の性能を最大にすることができる。
【００４１】
アクチュエータ６８は、ガスタービンエンジン１０の現在の動作状態が通常の動作状態であるときに、ルーバ７２を通常の動作位置へと動かすことができる。例えば、ガスタービンエンジン１０は、ガスタービンエンジン１０が特定の負荷（例えば、負荷センサ７６によって測定される）のもとで動作しているとき、または燃料３２を特定の流量（例えば、燃料流量センサ８６によって測定される）で消費しているとき、通常の動作状態であり得る。コントローラ１０４が、現在の動作状態が通常の動作状態であると判定した場合に、制御信号１１２をアクチュエータ６８へと送信するようにコントローラ１０４を構成することができる。制御信号１１２に基づいて、アクチュエータ６８は、（ルーバ７２がまだ通常の動作位置に位置していないならば）ルーバ７２を通常の動作位置へと移動させることができる。
【００４２】
図５は、自動清掃位置にあるルーバ７２を示している。図示のように、ルーバ７２は、自動清掃位置において、おおむね上方に傾斜した向きを有する。すなわち、各々のルーバ７２の前端が、各々のルーバ７２の後端よりも鉛直方向において上方に位置する。ルーバ７２のこの向きは、空気２６が吸気部分１２に進入するときに下降流効果を生じさせることができる。この点で、空気２６がフィルタハウジング４４においてフィルタ（図示せず）を通って斜めに下方へと流れることにより、フィルタによる塵埃および微粒子の除去が改善される。
【００４３】
アクチュエータ６８は、ガスタービンエンジン１０の現在の動作状態が自動清掃の動作状態であるときに、ルーバ７２を自動清掃位置へと移動させることができる。例えば、現在の動作状態は、吸気部分１２に進入する空気２６が特定の量の塵埃または他の微粒子（例えば、微粒子センサ８４および／またはフィルタエレメント差圧センサ８５によって検出される）を含む場合に、自動清掃の動作状態であり得る。コントローラ１０４が、現在の動作状態が自動清掃の動作位置であると判定した場合に、制御信号１１２をアクチュエータ６８へと送信するようにコントローラ１０４を構成することができる。制御信号１１２に基づいて、アクチュエータ６８は、（ルーバ７２がまだ自動清掃位置に位置していないならば）ルーバ７２を自動清掃位置へと移動させることができる。
【００４４】
図６は、耐候位置にあるルーバ７２を示している。図示のように、ルーバ７２は、耐候位置において、おおむね下方に傾斜した向きを有する。すなわち、各々のルーバ７２の前端が、各々のルーバ７２の後端よりも鉛直方向において下方に位置する。この向きにあるとき、ルーバ７２は、吸気部分１２に進入する空気２６中に存在する雨、雪、および他の降水の量を減少させるための耐候フードとして働く。ガスタービンエンジン１０によって取り込まれる降水の量を低減することにより、フィルタハウジング４４内の種々のフィルタ、スクリーン、冷却コイル、水分の分離装置、および／または他の装置の氷結および／または濡れが低減される。さらに、耐候位置を使用することで、恒久的な耐候フードが不要になる。
【００４５】
アクチュエータ６８は、ガスタービンエンジン１０の現在の動作状態が降雨の動作位置であるときに、ルーバ７２を耐候位置へと動かすことができる。例えば、現在の動作状態は、ガスタービンエンジン１０の付近に降雨（例えば、相対湿度センサ８０および／または降水センサ８２によって検出される）が存在する場合に、降雨の動作状態であり得る。コントローラ１０４が、現在の動作状態が降雨の動作状態であると判定した場合に、制御信号１１２をアクチュエータ６８へと送信するようにコントローラ１０４を構成することができる。制御信号１１２に基づいて、アクチュエータ６８は、（ルーバ７２がまだ耐候位置に位置していないならば）ルーバ７２を耐候位置へと移動させることができる。
【００４６】
図７は、ターンダウン位置にあるルーバ７２を示している。図示のように、ルーバ７２は、ターンダウン位置において、おおむね下方に傾斜した向きを有する。すなわち、各々のルーバ７２の前端が、各々のルーバ７２の後端よりも鉛直方向において下方に位置する。ルーバ７２のこの向きは、吸気部分１２に進入する空気２６に圧力低下を生じさせることによって、ターンダウン（すなわち、ガスタービンエンジン１０の出力が下げられている）の期間における燃料消費を低減する。ルーバ７２は、ターンダウンの種々のレベルに対応する複数のターンダウン位置を有することができる。別の実施形態において、ルーバ７２は、ターンダウン位置において、上方へと傾斜した向きを有する（すなわち、各々のルーバ７２の前端が各々のルーバ７２の後端よりも鉛直方向において上方に位置する）。上向きの角度方向も、図７に示した下向きの角度方向と同様の圧力低下を生じさせることができる。この点で、ルーバ７２の上向きおよび下向きのどちらの角度方向も、ターンダウンのための必要な圧力低下を生じさせることができる。
【００４７】
アクチュエータ６８は、ガスタービンエンジン１０の現在の動作状態がターンダウン動作位置であるときに、ルーバ７２をターンダウン位置へと動かすことができる。例えば、現在の動作状態は、ガスタービンエンジン１０が特定の負荷（例えば、負荷センサ７６によって測定される）のもとで動作しているとき、または燃料３２を特定の流量（例えば、燃料流量センサ８６によって測定される）で消費しているとき、ターンダウン動作状態であり得る。コントローラ１０４が、現在の動作状態がターンダウン動作状態であると判定した場合に、制御信号１１２をアクチュエータ６８へと送信するようにコントローラ１０４を構成することができる。制御信号１１２に基づいて、アクチュエータ６８は、（ルーバ７２がまだターンダウン位置に位置していないならば）ルーバ７２をターンダウン位置へと移動させることができる。
【００４８】
図８は、シャットダウン位置にあるルーバ７２を示している。図示のように、ルーバ７２は、シャットダウン位置において、おおむね鉛直な向きを有する。すなわち、各々のルーバ７２の前端および後端が、ベース面４２に対して垂直である。ルーバ７２のこの向きは、吸気部分１２への空気２６の進入をおおむね防止することによって、吸気部分１２内の種々の構成要素への凝縮および吸気部分１２内の種々の構成要素の腐食を低減することができる。このような凝縮および腐食は、典型的には、煙突通風効果（ｓｔａｃｋ  ｄｒａｆｔ  ｅｆｆｅｃｔ）によって進行する。
【００４９】
アクチュエータ６８は、ガスタービンエンジン１０の現在の動作状態がシャットダウンの動作状態であるときに、ルーバ７２をシャットダウン位置へと動かすことができる。例えば、現在の動作状態は、ガスタービンエンジン１０が無負荷（例えば、負荷センサ７６によって測定される）のもとで動作しているとき、または燃料３２を消費していない（例えば、燃料流量センサ８６によって測定される）とき、シャットダウンの動作状態であり得る。コントローラ１０４が、現在の動作状態がシャットダウンの動作状態であると判定した場合に、制御信号１１２をアクチュエータ６８へと送信するようにコントローラ１０４を構成することができる。制御信号１１２に基づいて、アクチュエータ６８は、（ルーバ７２がまだシャットダウン位置に位置していないならば）ルーバ７２をシャットダウンの動作位置へと移動させることができる。
【００５０】
コントローラ１０４を、複数の現在の動作状態が存在する場合に、制御用の現在の動作状態を決定するように構成することができる。制御用の現在の動作状態は、複数の現在の動作状態が存在する場合においてコントローラ１０４が制限部７０の位置を制御するために使用する現在の動作状態である。特定の実施形態において、コントローラ１０４は、複数の現在の動作状態から制御用の現在の動作状態を決定するための参照テーブルまたは他のロジックを含むことができる。例えば、ガスタービンエンジン１０は、ターンダウンおよび自動清掃の動作状態に同時に直面する可能性がある。この点に関して、コントローラ１０４は、参照テーブルを使用して、ターンダウンに関連する現在の動作状態が制御用の現在の動作状態であると決定することができる。そのような場合、コントローラ１０４は、制限部の位置を、自動清掃の動作状態ではなく、ターンダウンの動作状態に基づいて制御するように構成される。
【００５１】
いくつかの実施形態において、制限部７０は、図３に示した通常の動作位置などのデフォルト位置を有することができる。コントローラ１０４を、特定の現在の動作状態が存在するときにアクチュエータ６８へと制御信号１１２を送信して制限部７０をデフォルト位置から１つ以上の特別な位置へと動かすように構成することができる。例えば、特別な位置として、自動清掃位置、耐候位置、ターンダウン位置、およびシャットダウン位置を挙げることができる。コントローラ１０４を、特別な位置に対応する現在の動作状態の終了時に、アクチュエータ６８へと制御信号１１２を送信して制限部７０を再びデフォルト位置へと動かすように構成することができる。この点で、そのような実施形態は、デフォルト位置に関連する動作パラメータの検出を必要としない。
【００５２】
図９が、本開示の実施形態によるガスタービンエンジン１０に進入する空気２６の流れを調節するための方法２００を示している。
【００５３】
ステップ２０２において、ガスタービンエンジン１０の現在の動作パラメータを検出することができる。例えば、センサ１０２が、動作パラメータを検出し、動作パラメータを示す測定信号１１０を生成することができる。上述したように、動作パラメータは、ガスタービンエンジン１０の負荷、空気２６の温度、空気２６の相対湿度、降雨の存在、空気２６中の微粒子の存在または量、空気２６のフィルタエレメントにおける差圧、あるいは燃料３２の流量または圧力であってよい。
【００５４】
ステップ２０４において、ガスタービンエンジン１０の現在の動作状態が判定される。例えば、上述のように、コントローラ１０４は、センサ１０２に通信可能に接続されてよい。したがって、センサ１０２から送信された測定信号１１０を、関連する動作パラメータの測定値のその後の処理のために、コントローラ１０４によって受信することができる。この点に関して、コントローラ１０４は、参照テーブルまたは他のロジックを使用し、動作パラメータの測定値に基づいて現在の動作状態を判定することができる。さらに、コントローラ１０４は、ユーザの入力に基づいて現在の動作状態を判定することができる。複数の現在の動作状態が存在する場合、コントローラ１０４は、制御用の現在の動作状態を決定することができる。
【００５５】
ステップ２０６において、制限部７０の位置が、ガスタービンエンジン１０に進入する空気２６の流れを調節するために、ガスタービンエンジン１０の現在の動作状態または制御用の現在の動作状態に基づいて制御される。例えば、コントローラ１０４を、制限部７０の位置を制御するように構成することができる。より具体的には、コントローラ１０４は、制限部７０の位置を調整するために、アクチュエータ６８に制御信号１１２を送信することができる。この点に関して、アクチュエータ６８は、現在の動作状態が通常の動作状態である場合に、制限部７０を通常の動作位置へと動かすことができる。さらに、アクチュエータ６８は、現在の動作状態が自動清掃の動作状態である場合に、制限部７０を自動清掃位置へと動かすことができる。さらに、アクチュエータ６８は、現在の動作状態が降雨の動作状態である場合に、制限部７０を耐候位置へと動かすことができる。さらに、アクチュエータ６８は、現在の動作状態がターンダウンの動作状態である場合に、制限部７０をターンダウン位置へと動かすことができる。さらに、アクチュエータ６８は、現在の動作状態がシャットダウンの動作状態である場合に、制限部７０をシャットダウン位置へと動かすことができる。いくつかの実施形態において、アクチュエータ６８は、制限部７０をデフォルト動作位置（例えば、通常の動作位置）から特別な動作位置（例えば、ターンダウン位置）へと動かすことができる。
【００５６】
すでにより詳細に述べたように、本明細書に開示されたシステム１００および方法２００は、制限部７０の位置を調整することによって、ガスタービンエンジン１０へと入る空気２６の流れを調整可能に調整する。この点で、吸気部分１２へと流入する空気２６の圧力低下、流れの方向、および他の特性を、ガスタービンエンジン１０の現在の動作状態に基づいて最適化することができる。一方で、従来からのシステムおよび方法は、耐候フードなどの固定された（すなわち、調整が不可能な）構成要素を使用してガスタービンエンジンに入る空気の流れを調節する。したがって、従来からのシステムおよび方法は、ガスタービンエンジンへと入る空気の流れをガスタービンエンジンの現在の動作状態に基づいて最適化することを、可能にしていない。
【００５７】
本明細書は、本技術を最良の態様を含めて開示するとともに、あらゆる装置またはシステムの製作および使用ならびにあらゆる関連の方法の実行を含む本技術の実施を当業者にとって可能にするために、いくつかの実施例を使用している。本技術の特許可能範囲は、特許請求の範囲によって定められ、当業者が想到する他の実施例を含み得る。そのような他の実施例は、それらが特許請求の範囲の文言から相違しない構造要素を含んでおり、あるいは特許請求の範囲の文言から実質的には相違しない同等の構造要素を含むならば、特許請求の範囲の技術的範囲に包含される。
［実施態様１］
ターボ機械（１０）への空気（２６）の流れを調節するためのシステム（１００）であって、
前記ターボ機械（１０）の吸気部分（１２）と、
アクチュエータ（６８）および制限部（７０）を含んでおり、前記吸気部分（１２）に配置され、前記制限部（７０）の位置に基づいて前記ターボ機械（１０）への空気（２６）の流れを調節するように動作することができるダンパ（６４）と、
前記ダンパ（６４）に通信可能に接続され、前記ターボ機械（１０）の現在の動作状態に基づいて前記制限部（７０）の位置を制御して前記ターボ機械（１０）への空気（２６）の流れを調節するように構成されたコントローラ（１０４）と
を備えるシステム（１００）。
［実施態様２］
前記コントローラ（１０４）は、現在の動作状態が通常の動作状態である場合に、前記アクチュエータ（６８）を制御して前記制限部（７０）を通常動作位置へと動かすように構成されている、実施態様１に記載のシステム（１００）。
［実施態様３］
前記コントローラ（１０４）は、現在の動作状態が自動清掃の動作状態である場合に、前記アクチュエータ（６８）を制御して前記制限部（７０）を自動清掃位置へと動かすように構成されている、実施態様１に記載のシステム（１００）。
［実施態様４］
前記コントローラ（１０４）は、現在の動作状態が降雨の動作状態である場合に、前記アクチュエータ（６８）を制御して前記制限部（７０）を耐候位置へと動かすように構成されている、実施態様１に記載のシステム（１００）。
［実施態様５］
前記アクチュエータ（６８）は、前記現在の動作状態がターンダウンの動作状態である場合に、前記制限部（７０）をターンダウン位置へと動かす、実施態様１に記載のシステム（１００）。
［実施態様６］
前記コントローラ（１０４）は、現在の動作状態がシャットダウンの動作状態である場合に、前記アクチュエータ（６８）を制御して前記制限部（７０）をシャットダウン位置へと動かすように構成されている、実施態様１に記載のシステム（１００）。
［実施態様７］
前記コントローラ（１０４）は、複数の現在の動作状態が存在する場合に、制御用の現在の動作状態を決定するように構成され、前記コントローラ（１０４）は、該制御用の現在の動作状態に基づいて前記制限部（７０）の位置を制御して前記ターボ機械（１０）への空気（２６）の流れを調節するように構成されている、実施態様１に記載のシステム（１００）。
［実施態様８］
前記コントローラ（１０４）に通信可能に接続され、現在の動作状態を示す前記ターボ機械（１０）の動作パラメータを検出するように動作することができるセンサ（１０２）
をさらに備える、実施態様１に記載のシステム（１００）。
［実施態様９］
前記コントローラ（１０４）は、現在の動作状態に基づいて前記アクチュエータ（６８）を制御して前記制限部（７０）をデフォルトの動作位置から特別な動作位置へと動かすように構成されている、実施態様８に記載のシステム（１００）。
［実施態様１０］
前記センサ（１０２）は、相対湿度センサ（８０）、降水センサ（８２）、温度センサ（７８）、フィルタエレメント差圧センサ（８５）、または微粒子センサ（８４）である、実施態様８に記載のシステム（１００）。
［実施態様１１］
前記制限部（７０）は、複数のルーバ（７２）を備える、実施態様１に記載のシステム（１００）。
［実施態様１２］
前記制限部（７０）は、不透過性である、実施態様１に記載のシステム（１００）。
［実施態様１３］
ターボ機械（１０）への空気（２６）の流れを調節するための方法（２００）であって、
コントローラ（１０４）によって、前記ターボ機械（１０）の現在の動作状態に基づいて、前記ターボ機械（１０）の吸気部分（１２）に配置され、前記コントローラ（１０４）に通信可能に接続され、制限部（７０）の位置に基づいて前記ターボ機械（１０）への空気（２６）の流れを調節するように動作することができるダンパ（６４）の前記制限部（７０）の位置を制御して、前記ターボ機械（１０）への空気（２６）の流れを調節するステップ（２０６）
を含む方法（２００）。
［実施態様１４］
アクチュエータ（６８）によって、現在の動作状態が通常の動作状態である場合に、前記制限部（７０）を通常動作位置へと動かすこと
をさらに含む、実施態様１３に記載の方法（２００）。
［実施態様１５］
アクチュエータ（６８）によって、現在の動作状態が自動清掃の動作状態である場合に、前記制限部（７０）を自動清掃位置へと動かすこと
をさらに含む、実施態様１３に記載の方法（２００）。
［実施態様１６］
アクチュエータ（６８）によって、現在の動作状態が降雨の動作状態である場合に、前記制限部（７０）を耐候位置へと動かすこと
をさらに含む、実施態様１３に記載の方法（２００）。
［実施態様１７］
アクチュエータ（６８）によって、現在の動作状態がターンダウンの動作状態である場合に、前記制限部（７０）をターンダウン位置へと動かすこと
をさらに含む、実施態様１３に記載の方法（２００）。
［実施態様１８］
アクチュエータ（６８）によって、現在の動作状態がシャットダウンの動作状態である場合に、前記制限部（７０）をシャットダウン位置へと動かすこと
をさらに含む、実施態様１３に記載の方法（２００）。
［実施態様１９］
前記コントローラ（１０４）に通信可能に接続されたセンサ（１０２）で、前記ターボ機械（１０）の動作パラメータを検出するステップ（２０２）と、
前記コントローラ（１０４）で、前記動作パラメータに基づいて現在の動作状態を判定するステップ（２０４）と、
複数の現在の動作状態が存在する場合に、前記コントローラ（１０４）で制御用の現在の動作状態を決定するステップと、
前記コントローラ（１０４）で、制御用の現在の動作状態に基づいて、前記制限部（７０）の位置を制御して前記ターボ機械（１０）への空気（２６）の流れを調節するステップ（２０６）と
をさらに含む、実施態様１３に記載の方法（２００）。
［実施態様２０］
アクチュエータ（６８）によって、前記制限部（７０）をデフォルトの動作位置から現在の動作状態に基づく特別な動作位置へと動かすこと
をさらに含む、実施態様１３に記載の方法（２００）。
【符号の説明】
【００５８】
１０  ガスタービンエンジン
１２  吸気部分
１４  圧縮機
１６  燃焼器
１８  タービン
２０  排気部分
２２  シャフト
２４  発電機
２６  空気
２８  圧縮機ロータブレード
３０  圧縮された空気
３２  燃料
３４  燃料供給源
３６  燃焼ガス
３８  タービンロータブレード
４０  排気ガス
４２  ベース面
４４  フィルタハウジング
４６  第１の支持構造
４８  サイレンサ
５０  つなぎピース
５２  ダクト
５４  第２の支持構造
５６  エルボ部分
５８  鉛直方向に延びる部分
６０  つなぎ部分
６２  入口プレナム部分
６４  ダンパ
６６  吸気部分への入口
６８  アクチュエータ
７０  制限部
７２  ルーバ
７４  リンク機構
７６  負荷センサ
７８  温度センサ
８０  相対湿度センサ
８２  降水センサ
８４  微粒子センサ
８５  フィルタエレメント差圧センサ
８６  燃料流量センサ
１００  システム
１０２  センサ
１０４  コントローラ
１０６  プロセッサ
１０８  メモリデバイス
１１０  測定信号
１１２  制御信号
２００  方法
２０２  検出
２０４  判定
２０６  制御
【図１】
2018184953.tif 000003
【図２】
2018184953.tif 000004
【図３】
2018184953.tif 000005
【図４】
2018184953.tif 000006
【図５】
2018184953.tif 000007
【図６】
2018184953.tif 000008
【図７】
2018184953.tif 000009
【図８】
2018184953.tif 000010
【図９】
2018184953.tif 000011
【外国語明細書】
2018184953000001.pdf